【手続補正書】
【提出日】平成27年9月15日(2015.9.15)
【手続補正１】
【補正対象書類名】明細書
【補正対象項目名】０１４７
【補正方法】変更
【補正の内容】
【０１４７】
上述した例示的な実施形態に対して、本発明の要旨を逸脱しない範囲内で、様々な変更及び付加をすることができる。例えば、上記に開示した実施形態は特定の特徴について言及しており、本発明の範囲には、異なる特徴の組合せを有する実施形態、及び上記した特徴の全てを含まない実施形態もまた含まれる。
本発明の実施態様の一部を以下の項目１−５０に列記する。
[１]
非ニュートン水性濃縮組成物であって、
少なくとも１つの酸と；
少なくとも１つの界面活性剤と；
ポリエチレンオキシド、ポリアクリルアミド、及びポリアクリレートからなる群から選択される少なくとも１つのミスト防止成分と
を含んでおり、前記組成物は約４０センチポアズ未満の粘度を有する非ニュートン性である、非ニュートン水性濃縮組成物。
[２]
前記ポリエチレンオキシドの分子量が約３，０００，０００〜約７，０００，０００である、項目１に記載の非ニュートン水性濃縮組成物。
[３]
酸化防止剤、キレート剤、及び溶媒からなる群から選択される少なくとも１つの安定化成分を更に含む、項目１に記載の非ニュートン水性濃縮組成物。
[４]
前記溶媒がプロピレングリコール、及びグリセリンからなる群から選択される、項目３に記載の非ニュートン水性濃縮組成物。
[５]
酸化防止剤、キレート剤、及び溶媒からなる群から選択される少なくとも２つの安定化成分を更に含む、項目１に記載の非ニュートン水性濃縮組成物。
[６]
前記酸がリン酸、クエン酸、乳酸、及びメタンスルホン酸の少なくとも１つを含む、項目１に記載の非ニュートン水性濃縮組成物。
[７]
前記濃縮組成物のｐＨが４．５以下である、項目１に記載の非ニュートン水性濃縮組成物。
[８]
更に水を含む、項目１に記載の非ニュートン水性濃縮組成物であって、前記水は水性濃縮組成物の約４５質量％〜約７５質量％を構成しており、
前記少なくとも１つの酸は前記水性濃縮組成物の約７質量％〜約３５質量％を構成しており、
前記少なくとも１つの界面活性剤は前記水性濃縮組成物の約１．５質量％〜約１２質量％を構成しており、並びに
前記ミスト防止成分はポリエチレンオキシド、ポリアクリルアミド、及びこれらの組み合わせからなる群から選択され、かつ前記水性濃縮組成物の約０．０１質量％〜約０．３質量％を構成している、
非ニュートン水性濃縮組成物。
[９]
更に水を含む、項目１に記載の非ニュートン水性濃縮組成物であって、前記水は前記水性濃縮組成物の約４５質量％〜約７５質量％を構成しており、
前記少なくとも１つの酸は前記水性濃縮組成物の約７質量％〜約３５質量％を構成しており、
前記少なくとも１つの界面活性剤は前記水性濃縮組成物の約１．５質量％〜約１２質量％を構成しており、及び
前記ミスト防止成分はポリアクリレートであり、かつ前記水性濃縮組成物の約０．５質量％〜約２０質量％を構成している、
非ニュートン水性濃縮組成物。
[１０]
約０．０１質量％〜約１０．０質量％のプロピレングリコールを更に含む、項目８に記載の非ニュートン水性濃縮組成物。
[１１]
酸化防止剤、キレート剤、及び溶媒からなる群から選択される約０．０５質量％〜１０質量％の少なくとも１つの安定化成分を更に含む、項目８に記載の非ニュートン水性濃縮組成物。
[１２]
前記安定化成分がジカルボキシメチルグルタミン酸四ナトリウム塩（ＧＬＤＡ）である、項目１１に記載の非ニュートン水性濃縮組成物。
[１３]
更に水を含む、項目１に記載の非ニュートン水性濃縮組成物であって、前記水は前記水性濃縮組成物の約２５質量％〜約５０質量％を構成しており、
前記少なくとも１つの酸は前記水性濃縮組成物の約１０質量％〜約７５質量％を構成しており、
前記少なくとも１つの界面活性剤は前記水性濃縮組成物の約１．３質量％〜約１２質量％を構成しており、並びに
前記ミスト防止成分はポリエチレンオキシド、ポリアクリルアミド、及びこれらの組み合わせからなる群から選択され、かつ前記水性濃縮組成物の約０．０１質量％〜約０．３質量％を構成している、
非ニュートン水性濃縮組成物。
[１４]
更に水を含む、項目１に記載の非ニュートン水性濃縮組成物であって、前記水は前記水性濃縮組成物の約２５質量％〜約５０質量％を構成しており、
前記少なくとも１つの酸は前記水性濃縮組成物の約１０質量％〜約７５質量％を構成しており、
前記少なくとも１つの界面活性剤は前記水性濃縮組成物の約１．３質量％〜約１２質量％を構成しており、及び
前記ミスト防止成分はポリアクリレートであり、かつ前記水性濃縮組成物の約０．５質量％〜約２０質量％を構成している、
非ニュートン水性濃縮組成物。
[１５]
項目１に記載の非ニュートン水性濃縮組成物であって、少なくとも１つの酸が脂肪酸を含み、かつ前記水性濃縮組成物の約０．５質量％〜約１５質量％を構成しており、
前記少なくとも１つの界面活性剤は前記水性濃縮組成物の約０．１質量％〜約３０質量％を構成しており、並びに
前記ミスト防止成分はポリエチレンオキシド、ポリアクリルアミド、及びこれらの組み合わせからなる群から選択され、かつ前記水性濃縮組成物の約０．０１質量％〜約０．３質量％を構成している、
非ニュートン水性濃縮組成物。
[１６]
前記脂肪酸が、ヘキサン酸、酪酸、オクタン酸、ヘプタン酸、ノナン酸、デカン酸、ウンデカン酸、及びドデカン酸からなる群から選択される、項目１５に記載の非ニュートン水性濃縮組成物。
[１７]
項目１に記載の非ニュートン水性濃縮組成物であって、少なくとも１つの酸が脂肪酸を含み、かつ前記水性濃縮組成物の約０．５質量％〜約１５質量％を構成しており、
前記少なくとも１つの界面活性剤は前記水性濃縮組成物の約０．１質量％〜約３０質量％を構成しており、及び
前記ミスト防止成分はポリアクリレートであり、かつ前記水性濃縮組成物の約０．５質量％〜約２０質量％を構成している、
非ニュートン水性濃縮組成物。
[１８]
脂肪酸が、ヘキサン酸、酪酸、オクタン酸、ヘプタン酸、ノナン酸、デカン酸、ウンデカン酸、及びドデカン酸からなる群から選択される、項目１７に記載の非ニュートン水性濃縮組成物。
[１９]
組成物は、スプレーヘッドと前記スプレーヘッドに取り付けられた容器とを含むスプレーボトル装置を利用することによって吹付可能な組成物である、項目１に記載の非ニュートン水性濃縮組成物。
[２０]
前記組成物が、低速噴霧器を利用することによって吹付可能な組成物である、項目１に記載の非ニュートン水性濃縮組成物。
[２１]
使用溶液を形成する方法であって、前記方法は、
水と濃縮水性組成物とを混合して使用溶液を作る工程を含んでおり、
前記濃縮水性組成物は、
少なくとも１つの界面活性剤と；
ポリエチレンオキシド、及びポリアクリルアミドからなる群から選択される少なくとも１つのミスト防止成分と
を含んでおり、
前記濃縮水性組成物を、約０．００２質量％〜約０．００６質量％の前記ミスト防止成分を有する使用溶液を形成する程度に充分な水と混合する、
使用溶液を形成する方法。
[２２]
前記濃縮水性組成物が、酸化防止剤、キレート剤、及び溶媒からなる群から選択される少なくとも１つの安定化成分を更に含む、項目２１に記載の方法。
[２３]
前記濃縮水性組成物が、約０．０１質量％〜約１０．０質量％のプロピレングリコールを更に含む、項目２１に記載の方法。
[２４]
前記濃縮水性組成物が少なくとも１つの酸を含んでおり、前記使用溶液のｐＨが約４．５以下である、項目２１に記載の方法。
[２５]
前記酸が、ヘキサン酸、酪酸、オクタン酸、ヘプタン酸、ノナン酸、デカン酸、ウンデカン酸、及びドデカン酸からなる群から選択される脂肪酸を含む、項目２４に記載の方法。
[２６]
前記界面活性剤が第四級アンモニウム化合物を含む、項目２１に記載の方法。
[２７]
前記濃縮水性組成物が分散剤を含む、項目２１に記載の方法。
[２８]
前記界面活性剤が、少なくとも１つの非イオン性界面活性剤と、少なくとも１つのアニオン性界面活性剤とを含む、項目２１に記載の方法。
[２９]
使用溶液を形成する方法であって、前記方法は、
水と濃縮水性組成物とを混合して使用溶液を作る工程を含んでおり、前記濃縮水性組成物は
少なくとも１つの界面活性剤と；
ポリアクリレートと
を含んでおり、
前記濃縮水性組成物を、約０．２質量％〜約５質量％のポリアクリレートを有する使用溶液を形成する程度に充分な水と混合する、
使用溶液を形成する方法。
[３０]
前記濃縮水性組成物が、酸化防止剤、キレート剤、及び溶媒からなる群から選択される少なくとも１つの安定化成分を更に含む、項目２９に記載の方法。
[３１]
前記濃縮水性組成物が、約０．０１質量％〜約１０．０質量％のプロピレングリコールを更に含む、項目２９に記載の方法。
[３２]
前記濃縮水性組成物が少なくとも１つの酸を含んでおり、前記使用溶液のｐＨが約４．５以下である、項目２９に記載の方法。
[３３]
前記酸が、ヘキサン酸、酪酸、オクタン酸、ヘプタン酸、ノナン酸、デカン酸、ウンデカン酸、及びドデカン酸からなる群から選択される脂肪酸を含む、項目２９に記載の方法。
[３４]
前記界面活性剤が第四級アンモニウム化合物を含む、項目２９に記載の方法。
[３５]
前記界面活性剤が、少なくとも１つの非イオン性界面活性剤と、少なくとも１つのアニオン性界面活性剤とを含む、項目２９に記載の方法。
[３６]
吹付可能組成物の使用方法であって、前記方法は、
低速噴霧器を使用して、吹付可能な水性組成物を５０マイクロメートルより大きい平均サイズを有する液滴として分配する工程を含んでおり、
前記吹付可能な水性組成物は、少なくとも１つの界面活性剤と、少なくとも１つの界面活性剤と、ポリエチレンオキシド、ポリアクリルアミド、及びこれらの組み合わせからなる群から選択される約０．００２質量％〜約０．００６質量％のミスト防止成分とを含む、
吹付可能組成物の使用方法。
[３７]
前記吹付可能な水性組成物を分配する工程が、吹付可能な水性組成物を液滴として分配する工程を含んでおり、１１マイクロメートル未満のサイズを有する分配される前記液滴が０．０１％未満である、項目３６に記載の方法。
[３８]
前記吹付可能な水性組成物が少なくとも１つの酸を更に含んでおり、前記吹付可能な水性組成物のｐＨが４．５以下である、項目３６に記載の方法。
[３９]
前記酸が脂肪酸を含む、項目３８に記載の方法。
[４０]
前記吹付可能な水性組成物が第四級アンモニウム化合物を更に含む、項目３６に記載の方法。
[４１]
前記吹付可能な水性組成物が、酸化防止剤、キレート剤、及び溶媒からなる群から選択される少なくとも１つの安定化成分を更に含む、項目３６に記載の方法。
[４２]
前記濃縮水性組成物が分散剤を含む、項目３６に記載の方法。
[４３]
前記界面活性剤が、少なくとも１つの非イオン性界面活性剤と、少なくとも１つのアニオン性界面活性剤とを含む、項目３６に記載の方法。
[４４]
吹付可能組成物の使用方法であって、前記方法は、
低速噴霧器を使用して、吹付可能な水性組成物を約５０マイクロメートルより大きい平均サイズを有する液滴として分配する工程を含んでおり、
前記吹付可能な水性組成物は、少なくとも１つの界面活性剤と、約０．２質量％〜約５．０質量％のポリアクリレートとを含む、
吹付可能組成物の使用方法。
[４５]
前記吹付可能な水性組成物を分配する工程が、前記吹付可能な水性組成物を液滴として分配する工程を含んでおり、１１マイクロメートル未満のサイズを有する分配される液滴が０．０１％未満である、項目４４に記載の方法。
[４６]
前記吹付可能な水性組成物が少なくとも１つの酸を更に含んでおり、前記吹付可能な水性組成物のｐＨが４．５以下である、項目４４に記載の方法。
[４７]
前記酸が脂肪酸を含む、項目４６に記載の方法。
[４８]
前記吹付可能な水性組成物が第四級アンモニウム化合物を更に含む、項目４４に記載の方法。
[４９]
前記吹付可能な水性組成物が、酸化防止剤、キレート剤、及び溶媒からなる群から選択される少なくとも１つの安定化成分を更に含む、項目４４に記載の方法。
[５０]
前記界面活性剤が、少なくとも１つの非イオン性界面活性剤と、少なくとも１つのアニオン性界面活性剤とを含む、項目４４に記載の方法。
【手続補正２】
【補正対象書類名】特許請求の範囲
【補正対象項目名】全文
【補正方法】変更
【補正の内容】
【特許請求の範囲】
【請求項１】
非ニュートン水性濃縮組成物であって、
少なくとも１つの酸と；
少なくとも１つの界面活性剤と；
ポリエチレンオキシド、ポリアクリルアミド、及びポリアクリレートからなる群から選択される少なくとも１つのミスト防止成分と
を含んでおり、前記組成物は約４０センチポアズ未満の粘度を有する非ニュートン性である、非ニュートン水性濃縮組成物。
【請求項２】
前記ポリエチレンオキシドの分子量が約３，０００，０００〜約７，０００，０００である、請求項１に記載の非ニュートン水性濃縮組成物。
【請求項３】
酸化防止剤、キレート剤、及び溶媒からなる群から選択される少なくとも１つ又は少なくとも２つの安定化成分を更に含む、請求項１に記載の非ニュートン水性濃縮組成物。
【請求項４】
前記溶媒がプロピレングリコール、及びグリセリンからなる群から選択される、請求項３に記載の非ニュートン水性濃縮組成物。
【請求項５】
前記酸がリン酸、クエン酸、乳酸、及びメタンスルホン酸の少なくとも１つを含む、請求項１に記載の非ニュートン水性濃縮組成物。
【請求項６】
前記濃縮組成物のｐＨが４．５以下である、請求項１に記載の非ニュートン水性濃縮組成物。
【請求項７】
更に水を含む、請求項１に記載の非ニュートン水性濃縮組成物であって、前記水は前記水性濃縮組成物の約４５質量％〜約７５質量％を構成しており、
前記少なくとも１つの酸は前記水性濃縮組成物の約７質量％〜約３５質量％を構成しており、
前記少なくとも１つの界面活性剤は前記水性濃縮組成物の約１．５質量％〜約１２質量％を構成しており、並びに
前記ミスト防止成分はポリエチレンオキシド、ポリアクリルアミド、及びこれらの組み合わせからなる群から選択され、かつ前記水性濃縮組成物の約０．０１質量％〜約０．３質量％を構成している、又は前記ミスト防止成分はポリアクリレートであり、かつ前記水性濃縮組成物の約０．５質量％〜約２０質量％を構成している、
非ニュートン水性濃縮組成物。
【請求項８】
約０．０１質量％〜約１０．０質量％のプロピレングリコールを更に含む、請求項７に記載の非ニュートン水性濃縮組成物。
【請求項９】
酸化防止剤、キレート剤、及び溶媒からなる群から選択される約０．０５質量％〜１０質量％の少なくとも１つの安定化成分を更に含む、請求項７に記載の非ニュートン水性濃縮組成物。
【請求項１０】
前記安定化成分がジカルボキシメチルグルタミン酸四ナトリウム塩（ＧＬＤＡ）である、請求項９に記載の非ニュートン水性濃縮組成物。
【請求項１１】
更に水を含む、請求項１に記載の非ニュートン水性濃縮組成物であって、前記水は前記水性濃縮組成物の約２５質量％〜約５０質量％を構成しており、
前記少なくとも１つの酸は前記水性濃縮組成物の約１０質量％〜約７５質量％を構成しており、
前記少なくとも１つの界面活性剤は前記水性濃縮組成物の約１．３質量％〜約１２質量％を構成しており、並びに
前記ミスト防止成分はポリエチレンオキシド、ポリアクリルアミド、及びこれらの組み合わせからなる群から選択され、かつ前記水性濃縮組成物の約０．０１質量％〜約０．３質量％を構成している、又は前記ミスト防止成分はポリアクリレートであり、かつ前記水性濃縮組成物の約０．５質量％〜約２０質量％を構成している、
非ニュートン水性濃縮組成物。